(57)【要約】      （修正有）【課題】ユーザーが少なくとも二種類の通話モードで通話を行うことができる無線音声機能付のタッチペンを提供する。【解決手段】無線通信モジュールは、無線通信で音声データを送受信するためのものである。マイクロプロセッサユニットは、切り換えユニットの制御によって、ミーティングモードとイヤホンモードを含む通話モードを切り換える。音声エンコーダ／デコーダーユニットは、エコーキャンセルユニットと電気的に接続され、音声データを複号および符号化する。本体は、一端にタッチ部を有しており、無線通信モジュール、マイクロプロセッサユニット、エコーキャンセルユニット及び音声エンコーダ／デコーダーユニットを収容する。無線音声機能付のタッチペンは通話モードを切り換える機能を有するため、ユーザーが、自分で使用するように通話モードをイヤホンモードに切り換えたり、ミーティング通話を行うように通話モードをミーティングモードに切り換えたりすることができる。【選択図】図１
0003173666.tif 000002
【実用新案登録請求の範囲】
【請求項１】
無線通信で音声データを送受信するため無線通信モジュールと、
通話モードを切り換えるための切り換えユニットと、
前記切り換えユニットと前記無線通信モジュールに電気的に接続されており、前記切り換えユニットの制御によってミーティングモードとイヤホンモードを含む前記通話モードの切り換えを行うように構成されるマイクロプロセッサユニットと、
前記マイクロプロセッサユニットに電気的に接続されて制御されており、前記通話モードに応じてエコーキャンセルを行うためのエコーキャンセルユニットと、
前記エコーキャンセルユニットと電気的に接続され、前記音声データを複号および符号化する音声エンコーダ／デコーダーユニットと、
表面に前記切り換えユニットが設けられており、一端にタッチ部が設けられており、前記無線通信モジュール、前記マイクロプロセッサユニット、前記エコーキャンセルユニット及び前記音声エンコーダ／デコーダーユニットを収容するための本体と、
を含むことを特徴とする無線音声機能付のタッチペン。
【請求項２】
前記音声エンコーダ／デコーダーユニットと電気的に接続され、前記音声エンコーダ／デコーダーユニットが伝送した前記音声データを音声に転換するためのスピーカーユニットと、
前記音声エンコーダ／デコーダーユニットと電気的に接続され、集音した音声を音声データに転換して、当該音声データを前記音声エンコーダ／デコーダーユニットに伝送するための集音ユニットと、
を更に含むことを特徴とする請求項１に記載の無線音声機能付のタッチペン。
【請求項３】
前記イヤホンモードの状態で、前記切り換えユニットが切り換えられると、前記マイクロプロセッサユニットは、前記切り換えユニットの切り換えに応じて、前記ミーティングモードの音声パラメーターを設定するように前記エコーキャンセルユニットを制御して、前記イヤホンモードを前記ミーティングモードに切り換えることを特徴とする請求項１または２に記載の無線音声機能付のタッチペン。
【請求項４】
前記ミーティングモードの状態で、前記切り換えユニットが切り換えられると、前記マイクロプロセッサユニットは、前記切り換えユニットの切り換えに応じて、前記イヤホンモードの音声パラメーターを設定するように前記エコーキャンセルユニット１１を制御して、前記ミーティングモードを前記イヤホンモードに切り換えることを特徴とする請求項１または２に記載の無線音声機能付のタッチペン。
【請求項５】
前記切り換えユニットは、ボタン、ローラー、スライドスイッチ、電子式スイッチのうちのいずれか１種又はそれらの組み合わせからなるものであることを特徴とする請求項１ないし４のいずれかに記載の無線音声機能付のタッチペン。
【請求項６】
前記無線通信モジュールは、ブルートゥース（登録商標）モジュール、ジグビー（登録商標）モジュール又はＷｉＦｉ（登録商標）モジュールであることを特徴とする請求項１ないし５のいずれかに記載の無線音声機能付のタッチペン。
【請求項７】
充電モジュールを有する電源ユニットを更に含むことを特徴とする請求項１ないし６のいずれかに記載の無線音声機能付のタッチペン。
【請求項８】
無線通信で音声データを送受信するため無線通信モジュールと、
通話モードを切り換えるための切り換えユニットと、
前記切り換えユニットと前記無線通信モジュールに電気的に接続されており、前記切り換えユニットの制御によってミーティングモードとイヤホンモードを含む前記通話モードの切り換えを行うように構成されるマイクロプロセッサユニットと、
表面に前記切り換えユニットが設けられており、一端にタッチ部が設けられており、前記無線通信モジュール及び前記マイクロプロセッサユニットを収容するように構成される本体と、
を含むことを特徴とする無線音声機能付のタッチペン。
【請求項９】
前記イヤホンモードの状態で、前記切り換えユニットが切り換えられると、前記マイクロプロセッサユニットは、前記切り換えユニットの切り換えに応じて、前記ミーティングモードの音声パラメーターを設定して、前記イヤホンモードを前記ミーティングモードに切り換えることを特徴とする請求項８に記載の無線音声機能付のタッチペン。
【請求項１０】
前記ミーティングモードの状態で、前記切り換えユニットが切り換えられると、前記マイクロプロセッサユニットは、前記切り換えユニットの切り換えに応じて、前記イヤホンモードの音声パラメーターを設定して、前記ミーティングモードを前記イヤホンモードに切り換えることを特徴とする請求項８に記載の無線音声機能付のタッチペン。
【考案の詳細な説明】
【技術分野】
【０００１】
本考案は、無線通信装置に関し、特に無線音声機能付のタッチペン(ｔｏｕｃｈ ｐｅｎ ｗｉｔｈ ｗｉｒｅｌｅｓｓ ｖｏｉｃｅ ｃａｐａｂｉｌｉｔｙ)に関するものである。
【背景技術】
【０００２】
無線チャネルの通信自由化と商業化が進められているにつれて、無線通信技術標準規格も定められつつある。各種の無線通信技術標準規格において、許可を取る必要のない無線周波数帯域（ｒａｄｉｏ ｆｒｅｑｕｅｎｃｙ ｂａｎｄ）を利用する技術標準はユーザーや製造メーカーに愛用されている。ブルートゥース（登録商標）は正にその典型例である。ブルートゥース技術標準は、許可を取る必要のない無線周波数帯域、例えば産業科学医療用(Ｉｎｄｕｓｔｒｉａｌ Ｓｃｉｅｎｔｉｆｉｃ Ｍｅｄｉｃａｌ、ＩＳＭ)周波数帯域における２．４５ＧＨｚ帯域を使用する。また、ブルートゥース装置を実現するのに必要なコストは、おおよその無線装置よりも低い。更に、ブルートゥースは使用利便性を有する。
【０００３】
ブルートゥースを使用する各無線通信装置は、互いに無線通信を行うことができる。一例として、例えば、携帯電話とハンズフリー（ｈａｎｄ−ｆｒｅｅ）装置との間の無線通信、二つの携帯電話の間のファイルの送受信などである。ブルートゥースモジュールを設置してあれば、伝統の有線装置が無線化されることができるようになる。ブルートゥース装置が音声通信に適用する場合、有線方式で信号を送受信するための機材を削減することができるため、使用利便性を向上することができる。一方、ジグビー（Ｚｉｇｂｅｅ（登録商標））とワイヤレス・フィディリティー（以下、ＷｉＦｉ（登録商標）という）も同じ機能や効果を提供することができるが、その相違点として、ジグビーは消費する電源が少ないのに対し、ＷｉＦｉは高データ転送レート（ｄａｔａ ｔｒａｎｓｍｉｓｓｉｏｎ ｒａｔｅ）を提供することができるということである。
【考案の概要】
【考案が解決しようとする課題】
【０００４】
そこで上記事情を鑑みて、本考案において、ユーザーが少なくとも二種類の通話モードで通話を行うことができる無線音声機能付のタッチペンを提供することを課題とする。
【課題を解決するための手段】
【０００５】
本考案の実施例は、無線通信モジュール、切り換えユニット、マイクロプロセッサユニット、エコーキャンセルユニット、音声エンコーダ／デコーダーユニット及び本体を含む無線音声機能付のタッチペンを提供する。無線通信モジュールは、無線通信で音声データを送受信するためのものである。切り換えユニットは、本体の表面に設けられる。マイクロプロセッサユニットは、切り換えユニットの制御によって、ミーティングモードとイヤホンモードを含む通話モードを切り換える。エコーキャンセルユニットは、マイクロプロセッサユニットに電気的に接続されて制御されており、通話モードに応じてエコーキャンセルを行う。音声エンコーダ／デコーダーユニットは、エコーキャンセルユニットと電気的に接続され、音声データを複号および符号化する。本体は、一端にタッチ部を有しており、無線通信モジュール、マイクロプロセッサユニット、エコーキャンセルユニット及び音声エンコーダ／デコーダーユニットを収容する。
【０００６】
本考案の他の実施例は、無線通信モジュール、切り換えユニット、マイクロプロセッサユニット及び本体を含む無線音声機能付のタッチペンを提供する。無線通信モジュールは、無線通信で音声データを送受信するためのものである。マイクロプロセッサユニットは、切り換えユニットと無線通信モジュールに電気的に接続される。切り換えユニットは、本体の表面に設けられる。マイクロプロセッサユニットは、切り換えユニットの制御によって、通話モードをミーティングモード又はイヤホンモードに切り換える。本体は、一端にタッチ部を有しており、無線通信モジュール及びマイクロプロセッサユニットを収容する。
【考案の効果】
【０００７】
上述したように、本考案に係る無線音声機能付のタッチペンは、通話モードの切り換えを行うことができるため、ユーザーが、自分で使用するように通話モードをイヤホンモードに切り換えたり、ミーティング通話を行うように通話モードをミーティングモードに切り換えたりすることができる。
【図面の簡単な説明】
【０００８】
【図１】本考案の実施例に係る無線音声機能付のタッチペンのブロック模式図を示す。
【図２】本考案の実施例に係る無線音声機能付のタッチペンの立体模式図を示す。
【図３Ａ】本考案の実施例に係る無線音声機能付のタッチペンがミーティングモードで使用される状態を示す。
【図３Ｂ】本考案の実施例に係る無線音声機能付のタッチペンがイヤホンモードで使用される状態を示す。
【考案を実施するための形態】
【０００９】
図１と図２を参照して本考案を説明する。図１は本考案の実施例に係る無線音声機能付のタッチペンのブロック模式図を示す。図２は本考案の実施例に係る無線音声機能付のタッチペンの立体模式図を示す。無線音声機能付のタッチペン１は、無線通信モジュール１３、切り換えユニット１４、マイクロプロセッサユニット１０、エコーキャンセルユニット１１、音声エンコーダ／デコーダーユニット１２、スピーカーユニット１５、集音ユニット１６及び本体１７を含む。本体１７はタッチ部（図示せず）を有する。マイクロプロセッサユニット１０は、切り換えユニット１４、無線通信モジュール１３及びエコーキャンセルユニット１１に電気的に接続される。エコーキャンセルユニット１１は音声エンコーダ／デコーダーユニット１２に電気的に接続される。音声エンコーダ／デコーダーユニット１２はスピーカーユニット１５と集音ユニット１６に電気的に接続される。本体１７は、無線通信モジュール１３、マイクロプロセッサユニット１０、エコーキャンセルユニット１１及び音声エンコーダ／デコーダーユニット１２を収容するためのものである。スピーカーユニット１５と集音ユニット１６は本体１７の表面に設けられる。
【００１０】
無線通信モジュール１３は、無線通信で遠隔から送信された音声データを受信したり、又は遠隔に音声データを送信したりするためのものである。また、無線通信モジュール１３は、音声データを送受信するためのものであり、ブルートゥース（登録商標）モジュール、ジグビー（Ｚｉｇｂｅｅ（登録商標））モジュール又はワイヤレス・フィディリティー（ＷｉＦｉ）モジュールであってもよい。ここで、遠隔とは、携帯電話、無線通信機能付のモバイルフォン（Ｍｏｂｉｌｅ ｐｈｏｎｅ）又は無線通信機能付のコンピューターであってもよい。遠隔の無線通信モジュールは、ブルートゥース、ジグビー又はＷｉＦｉを通して無線通信モジュール１３と通信することができる。無線通信モジュール１３は、回路板（又は基板など）に設置されることができる。例を挙げると、例えば、無線通信モジュール１３が両面多層基板に形成されることによって、無線通信モジュール１３が本体１７の内部に容易に収容されるようにしてもよい。
【００１１】
切り換えユニット１４は、本体１７の表面に設けられており、ユーザーが無線音声機能付のタッチペン１の通話モードを切り換えるためのものである。切り換えユニット１４は、ボタン、ローラー、スライドスイッチ、電子式スイッチのうちのいずれか１種又はそれらの組み合わせからなるものであってもよい。
【００１２】
マイクロプロセッサユニット１０は、切り換えユニット１４から入力された操作指令や操作信号に基づいて通話モードを切り換える。ここで、通話モードは少なくともミーティングモードとイヤホンモードを含む。ミーティングモードとは、二人以上のユーザーが無線音声機能付のタッチペン１を通して同時に通話を行うためのことを指す。無線音声機能付のタッチペン１をそれぞれ使用する二人以上のユーザーは遠隔で他のユーザーと同時にミーティングを行うことができる。また、イヤホンモードとは、ユーザーが自分の無線音声機能付のタッチペン１を通して他のユーザーと通話を行うためのことを指す。
【００１３】
イヤホンモードの状態で、切り換えユニット１４が切り換えられると、マイクロプロセッサユニット１０は、切り換えユニット１４の切り換えに応じて、ミーティングモードの音声パラメーターを設定するようにエコーキャンセルユニット１１を制御して、イヤホンモードをミーティングモードに切り換える。一方、ミーティングモードの状態で、切り換えユニット１４が切り換えられると、マイクロプロセッサユニット１０は、切り換えユニット１４の切り換えに応じて、イヤホンモードの音声パラメーターを設定するようにエコーキャンセルユニット１１を制御して、ミーティングモードをイヤホンモードに切り換える。
【００１４】
エコーキャンセルユニット１１は、マイクロプロセッサユニット１０で制御されており、通話モードに応じてエコーキャンセルを行う。また、エコーキャンセルユニット１１は適応フィルター（ａｄａｐｔｉｖｅ ｆｉｌｔｅｒ）を含んでもよい。適応フィルターは、周囲環境でのパルス応答（ｐｕｌｓｅ ｒｅｓｐｏｎｓｅ）をシュミレーションして、それに対応するエコーを生成する。エコーキャンセルユニット１１は、集音ユニット１６が集音した音声から適応フィルターが生成したエコーを減算することによって、周囲環境によるエコーを除去することができる。また、エコーキャンセルユニット１１をソフトウェアの形式でマイクロプロセッサユニット１０に整合して、マイクロプロセッサユニット１０としての単一の集積回路（即ち、ＩＣ）でエコーキャンセルの機能を実現してもよい。また、エコーキャンセルユニット１１の実施方式は、この技術分野の当業者が推知できるものであるため、ここでは詳しい説明を省略する。
【００１５】
音声エンコーダ／デコーダーユニット１２は、（マイクロプロセッサユニット１０を通して）無線通信モジュール１３が受信した音声データを復号して、復号した音声データをスピーカーユニット１５に伝送する。また、音声エンコーダ／デコーダーユニット１２は、集音ユニット１６が受信した音声データを符号化して、（マイクロプロセッサユニット１０を通して）符号化した音声データを無線通信モジュール１３に伝送する。スピーカーユニット１５は、音声エンコーダ／デコーダーユニット１２が伝送した音声データを音声に転換するためのものである。集音ユニット１６は、集音した音声を音声データに転換して、音声データを音声エンコーダ／デコーダーユニット１２に伝送するためのものである。ここで注意すべき点は、音声エンコーダ／デコーダーユニット１２とエコーキャンセルユニット１１をソフトウェアの形式でマイクロプロセッサユニット１０に整合して、マイクロプロセッサユニット１０としての単一の集積回路（即ち、ＩＣ）で音声データの符号化／復号及びエコーキャンセルの機能を実現してもよい。
【００１６】
本体１７は、外見がペン状を呈しており、ペンヘッド状を呈するタッチ部を有する（例えば、図２の下端部）。タッチ部は、タッチパネルをタッチするためのものである。タッチパネルは、例えば、容量式タッチパネル、抵抗式タッチパネル又はインダクタンス式タッチパネルなどのタッチパネルであってもよい。また、タッチ部は各式のタッチパネルに応じて適宜設計でき、その設計方式が公知のものであるため、その説明を省略する。また、本体１７がペン状を呈するため、伝統の万年筆、鉛筆又はボールペンのように、ユーザーは無線音声機能付のタッチペン１を携帯しやすいようになる。また、ユーザーが無線音声機能付のタッチペン１を上着のポケットに挿すために、本体１７はペンホルダー（又はペン掛け）を更に含んでもよい。また、本体１７の内部には無線通信モジュール１３、マイクロプロセッサユニット１０、エコーキャンセルユニット１１及び音声エンコーダ／デコーダーユニット１２を設置してある基板（図示せず）を収容するようにしてもよい。基板は回路板やプリント基板、例えば両面多層基板であってもよい。また、本体１７の設計方式が公知のものであるため、その説明を省略する。
【００１７】
図３Ａは本考案の実施例に係る無線音声機能付のタッチペンがミーティングモードで使用される状態を示す。無線音声機能付のタッチペン１をミーティングモードで動作させるようにユーザーが切り換えユニット１４を操作すると、ユーザーが集音ユニット１６より離れる距離から声を出すことによって集音ユニット１６が集音したエコーを除去するようにエコーキャンセルユニット１１は音声パラメーターを調整する。これにより、ユーザーが無線音声機能付のタッチペン１を上着のポケットに挿す状態で通話を行うことができる。また、無線音声機能付のタッチペン１をそれぞれ使用する二人以上のユーザーは遠隔で他のユーザーと同時にミーティングを行うことができる。もちろん、ミーティングモードで通話を行う際に、ユーザーが無線音声機能付のタッチペン１を手持ちしたり机の上に置いたりするようにしてもよい。
【００１８】
図３Ｂは本考案の実施例に係る無線音声機能付のタッチペンがイヤホンモードで使用される状態を示す。無線音声機能付のタッチペン１をイヤホンモードで動作させるようにユーザーが切り換えユニット１４を操作すると、ユーザーが集音ユニット１６に近い距離から声を出すことによって集音ユニット１６が集音したエコーを除去するようにエコーキャンセルユニット１１は音声パラメーターを調整する。また、エコーキャンセルユニット１１は、周囲環境による騒音やノイズを低減することによってユーザーの通話の明瞭度（ａｒｔｉｃｕｌａｔｉｏｎ、即ち、通信などでの音声品質）を向上させることができる。更に、エコーキャンセルユニット１１は、スピーカーユニット１５が出力する音量を落とすことによって集音ユニット１６がスピーカーユニット１５から出力した音声を集音する際に生成されるエコーを低減させることができる。
【００１９】
また、エコーキャンセルユニット１１をソフトウェアの形式でマイクロプロセッサユニット１０としての集積回路に整合してもよいため、マイクロプロセッサユニット１０はソフトウェアによる執行に応じてミーティングモード又はイヤホンモードの音声パラメーターを調整することによってエコーキャンセルの機能を実現することができる。
【００２０】
また、無線音声機能付のタッチペン１が動作するに必要な電源は電源ユニット（図示せず）から提供されるようにしてもよい。この場合、ユーザーが何時でも充電できるように、電源ユニットは充電モジュールを含んでもよい。これにより、電池切れの際に電池交換による不具合を解決することができる。
【００２１】
（実施例の効果）
上述したように、無線音声機能付のタッチペンは通話モードを切り換える機能を有するため、ユーザーが切り換えユニットによって無線音声機能付のタッチペンの通話モードの切り換えを行うことができる。即ち、ユーザーは、自分で使用するように通話モードをイヤホンモードに切り換えたり、ミーティング通話を行うように通話モードをミーティングモードに切り換えたりすることができる。また、無線音声機能付のタッチペンにおけるエコーキャンセルユニットが設定した音声パラメーターは、ミーティングモードとイヤホンモードでのエコーをそれぞれ除去することができるため、ユーザーに優れた通話品質を提供することができる。また、本考案に係る無線音声機能付のタッチペンは、ユーザーにとって携帯利便性を有するとともに、タッチパネルの操作を行う操作利便性を有する。
【００２２】
上述した実施例は、本考案の好ましい実施態様に過ぎず、本考案の実施の範囲を限定するものではない。
【符号の説明】
【００２３】
１  無線音声機能付のタッチペン
１０  マイクロプロセッサユニット
１１  エコーキャンセルユニット
１２  音声エンコーダ／デコーダーユニット
１３  無線通信モジュール
１４  切り換えユニット
１５  スピーカーユニット
１６  集音ユニット
１７  本体１７
【図１】
0003173666.tif 000003
【図２】
0003173666.tif 000004
【図３Ａ】
0003173666.tif 000005
【図３Ｂ】
0003173666.tif 000006
【手続補正書】
【提出日】平成23年12月2日(2011.12.2)
【手続補正１】
【補正対象書類名】実用新案登録請求の範囲
【補正対象項目名】全文
【補正方法】変更
【補正の内容】
【実用新案登録請求の範囲】
【請求項１】
無線通信で音声データを送受信するため無線通信モジュールと、
通話モードを切り換えるための切り換えユニットと、
前記切り換えユニットと前記無線通信モジュールに電気的に接続されており、前記切り換えユニットの制御によってミーティングモードとイヤホンモードを含む前記通話モードの切り換えを行うように構成されるマイクロプロセッサユニットと、
前記マイクロプロセッサユニットに電気的に接続されて制御されており、前記通話モードに応じてエコーキャンセルを行うためのエコーキャンセルユニットと、
前記エコーキャンセルユニットと電気的に接続され、前記音声データを複号および符号化する音声エンコーダ／デコーダーユニットと、
表面に前記切り換えユニットが設けられており、一端にタッチ部が設けられており、前記無線通信モジュール、前記マイクロプロセッサユニット、前記エコーキャンセルユニット及び前記音声エンコーダ／デコーダーユニットを収容するための本体と、
を含むことを特徴とする無線音声機能付のタッチペン。
【請求項２】
前記音声エンコーダ／デコーダーユニットと電気的に接続され、前記音声エンコーダ／デコーダーユニットが伝送した前記音声データを音声に転換するためのスピーカーユニットと、
前記音声エンコーダ／デコーダーユニットと電気的に接続され、集音した音声を音声データに転換して、当該音声データを前記音声エンコーダ／デコーダーユニットに伝送するための集音ユニットと、
を更に含むことを特徴とする請求項１に記載の無線音声機能付のタッチペン。
【請求項３】
前記イヤホンモードの状態で、前記切り換えユニットが切り換えられると、前記マイクロプロセッサユニットは、前記切り換えユニットの切り換えに応じて、前記ミーティングモードの音声パラメーターを設定するように前記エコーキャンセルユニットを制御して、前記イヤホンモードを前記ミーティングモードに切り換えることを特徴とする請求項１または２に記載の無線音声機能付のタッチペン。
【請求項４】
前記ミーティングモードの状態で、前記切り換えユニットが切り換えられると、前記マイクロプロセッサユニットは、前記切り換えユニットの切り換えに応じて、前記イヤホンモードの音声パラメーターを設定するように前記エコーキャンセルユニット１１を制御して、前記ミーティングモードを前記イヤホンモードに切り換えることを特徴とする請求項１または２に記載の無線音声機能付のタッチペン。
【請求項５】
前記切り換えユニットは、ボタン、ローラー、スライドスイッチ、電子式スイッチのうちのいずれか１種又はそれらの組み合わせからなるものであることを特徴とする請求項１ないし４のいずれかに記載の無線音声機能付のタッチペン。
【請求項６】
前記無線通信モジュールは、ブルートゥースモジュール、ジグビーモジュール又はＷｉＦｉモジュールであることを特徴とする請求項１ないし５のいずれかに記載の無線音声機能付のタッチペン。
【請求項７】
充電モジュールを有する電源ユニットを更に含むことを特徴とする請求項１ないし６のいずれかに記載の無線音声機能付のタッチペン。
【請求項８】
無線通信で音声データを送受信するため無線通信モジュールと、
通話モードを切り換えるための切り換えユニットと、
前記切り換えユニットと前記無線通信モジュールに電気的に接続されており、前記切り換えユニットの制御によってミーティングモードとイヤホンモードを含む前記通話モードの切り換えを行うように構成されるマイクロプロセッサユニットと、
表面に前記切り換えユニットが設けられており、一端にタッチ部が設けられており、前記無線通信モジュール及び前記マイクロプロセッサユニットを収容するように構成される本体と、
を含むことを特徴とする無線音声機能付のタッチペン。
【請求項９】
前記イヤホンモードの状態で、前記切り換えユニットが切り換えられると、前記マイクロプロセッサユニットは、前記切り換えユニットの切り換えに応じて、前記ミーティングモードの音声パラメーターを設定して、前記イヤホンモードを前記ミーティングモードに切り換えることを特徴とする請求項８に記載の無線音声機能付のタッチペン。
【請求項１０】
前記ミーティングモードの状態で、前記切り換えユニットが切り換えられると、前記マイクロプロセッサユニットは、前記切り換えユニットの切り換えに応じて、前記イヤホンモードの音声パラメーターを設定して、前記ミーティングモードを前記イヤホンモードに切り換えることを特徴とする請求項８に記載の無線音声機能付のタッチペン。
【手続補正２】
【補正対象書類名】明細書
【補正対象項目名】０００２
【補正方法】変更
【補正の内容】
【０００２】
無線チャネルの通信自由化と商業化が進められているにつれて、無線通信技術標準規格も定められつつある。各種の無線通信技術標準規格において、許可を取る必要のない無線周波数帯域（ｒａｄｉｏ ｆｒｅｑｕｅｎｃｙ ｂａｎｄ）を利用する技術標準はユーザーや製造メーカーに愛用されている。ブルートゥースは正にその典型例である。ブルートゥース技術標準は、許可を取る必要のない無線周波数帯域、例えば産業科学医療用(Ｉｎｄｕｓｔｒｉａｌ Ｓｃｉｅｎｔｉｆｉｃ Ｍｅｄｉｃａｌ、ＩＳＭ)周波数帯域における２．４５ＧＨｚ帯域を使用する。また、ブルートゥース装置を実現するのに必要なコストは、おおよその無線装置よりも低い。更に、ブルートゥースは使用利便性を有する。
【手続補正３】
【補正対象書類名】明細書
【補正対象項目名】０００３
【補正方法】変更
【補正の内容】
【０００３】
ブルートゥースを使用する各無線通信装置は、互いに無線通信を行うことができる。一例として、例えば、携帯電話とハンズフリー（ｈａｎｄ−ｆｒｅｅ）装置との間の無線通信、二つの携帯電話の間のファイルの送受信などである。ブルートゥースモジュールを設置してあれば、伝統の有線装置が無線化されることができるようになる。ブルートゥース装置が音声通信に適用する場合、有線方式で信号を送受信するための機材を削減することができるため、使用利便性を向上することができる。一方、ジグビー（Ｚｉｇｂｅｅ（登録商標））とワイヤレス・フィディリティー（以下、ＷｉＦｉという）も同じ機能や効果を提供することができるが、その相違点として、ジグビーは消費する電源が少ないのに対し、ＷｉＦｉは高データ転送レート（ｄａｔａ ｔｒａｎｓｍｉｓｓｉｏｎ ｒａｔｅ）を提供することができるということである。
【手続補正４】
【補正対象書類名】明細書
【補正対象項目名】００１０
【補正方法】変更
【補正の内容】
【００１０】
無線通信モジュール１３は、無線通信で遠隔から送信された音声データを受信したり、又は遠隔に音声データを送信したりするためのものである。また、無線通信モジュール１３は、音声データを送受信するためのものであり、ブルートゥースモジュール、ジグビー（Ｚｉｇｂｅｅ（登録商標））モジュール又はワイヤレス・フィディリティー（ＷｉＦｉ）モジュールであってもよい。ここで、遠隔とは、携帯電話、無線通信機能付のモバイルフォン（Ｍｏｂｉｌｅ ｐｈｏｎｅ）又は無線通信機能付のコンピューターであってもよい。遠隔の無線通信モジュールは、ブルートゥース、ジグビー又はＷｉＦｉを通して無線通信モジュール１３と通信することができる。無線通信モジュール１３は、回路板（又は基板など）に設置されることができる。例を挙げると、例えば、無線通信モジュール１３が両面多層基板に形成されることによって、無線通信モジュール１３が本体１７の内部に容易に収容されるようにしてもよい。